(57)【要約】【課題】  鼻腔内に滞留している鼻汁を、鼻腔内に大きな負圧を発生させることなく円滑に吸引、除去することができる鼻汁吸引器を提供する。【解決手段】  鼻汁収容容器５の上端部に、先端に鼻汁吸込ノズル２を取り付けている鼻汁吸引管１と、先端にマウスピース４を取り付けている吸気管３とを連結、連通させてあり、、鼻汁吸込ノズル２を鼻孔Ｂに差し込む一方、マウスピース４を口に銜えて吸引することにより、鼻腔内の鼻汁を鼻汁吸引管１を通じて鼻汁収容容器５内に吸引、収容するよう構成した鼻汁吸引器において、上記鼻汁吸込ノズル２の外周面に、鼻汁吸引時に外気を鼻腔内を流入させることができる通気路10を設けてあり、鼻腔内に吸引力による大きな負圧の発生を防止しながら鼻汁を吸引、除去するように構成している。【選択図】    図１
2014018499.tif 000002
【特許請求の範囲】
【請求項１】
先端に鼻汁吸込ノズルを取付けている可撓性を有する鼻汁吸引管と、先端にマウスピースを取付けている可撓性を有する吸気管とのそれぞれの基端部を鼻汁収容容器に連結、連通させ、上記鼻汁吸込ノズルの先部を鼻孔内に差し込んで上記マウスピースから吸気管を通じて吸気することにより、鼻汁収容容器内を通じて上記鼻汁吸引管に吸引力を発生させ、その吸引力により鼻腔内の鼻汁を上記吸込ノズルから鼻汁吸引管を通じて上記鼻汁収容容器内に吸引、収容するように構成した鼻汁吸引器において、上記鼻汁吸込ノズルの外周面に、この鼻汁吸込ノズルを鼻孔内に差し込んだ際に鼻腔内を外気に連通させる通気路を形成していることを特徴とする鼻汁吸引器。
【請求項２】
鼻汁吸込ノズルの外周面にこの鼻汁吸込ノズルの長さ方向に長い条溝を周方向に間隔を存して複数条、設けることにより、これらの条溝によって上記通気路を形成していることを特徴とする請求項１に記載の鼻汁吸引器。
【請求項３】
吸込ノズルの外周面にこの吸込ノズルの長さ方向に連続した複数の突条を設けて周方向に隣接する突条間の外周面によって通気路を形成していることを特徴とする請求項１に記載の鼻汁吸引器。
【請求項４】
吸引ノズルの外周面に長さ方向及び周方向に小間隔毎に一定高さの突起を突設して隣接する突起間の隙間により通気路を形成していることを特徴とする請求項１に記載の鼻汁吸引器。
【請求項５】
吸引ノズルは先端部が鼻孔よりも小径で中央部が鼻孔よりも大径の紡錘形状に形成されていることを特徴とする請求項１ないし請求項４のうち、いずれか一項に記載の鼻汁吸気器。
【発明の詳細な説明】
【技術分野】
【０００１】
本発明は、鼻腔内に滞留している鼻汁を吸引、除去する鼻汁吸引器の改良に関する。
【背景技術】
【０００２】
風邪やアレルギー性鼻炎などに罹った場合、鼻汁、鼻閉、くしゃみなどの症状が発生して円滑な呼吸が妨げられ、特に、乳幼児においては鼻をかむことができないために、気分が悪くなって寝つけない事態が発生する。このため、母親等の介護者が鼻汁吸引器を使用して鼻腔内に溜っている鼻汁を吸引、除去することが行われている。また、乳幼児でなくても鼻汁吸引器を使用して自ら鼻汁を吸引、除去することが行われている。
【０００３】
このような鼻汁吸引器としては、例えば、特許文献１に記載されているように、一端に鼻汁吸引ヘッド（以下、鼻汁吸込ノズルとする）を備えた可撓性を有する鼻汁吸引管の基端部を鼻汁収容容器の上端部に連結、連通させると共に、一端にマウスピースを取付けている可撓性を有する吸気管の基端部を上記鼻汁収容容器における上記鼻汁吸引管とは別な部分に連結、連通させてなる構造のものが知られている。
【０００４】
このように構成した鼻汁吸引器は使用に際して、鼻汁吸込ノズルを、その先端部を乳幼児等の鼻孔内に差し込んだ状態となるように鼻孔に宛てがう一方、介護者等がマウスピースを銜えて吸引すると、その吸引力は吸気管から鼻汁収容容器内を通じて鼻汁吸引管に作用し、この吸引力によって鼻孔内に差し込んでいる鼻汁吸込ノズルを通じて鼻腔内の鼻汁が鼻汁吸引管内に吸入され、この鼻汁吸引管を通じて収容容器内に鼻汁を収容することができる。
【先行技術文献】
【特許文献】
【０００５】
【特許文献１】特開２００３−２４４３２号公報
【発明の開示】
【発明が解決しようとする課題】
【０００６】
しかしながら、上記のように構成した鼻汁吸引器によれば、吸気管から鼻汁収容容器、鼻汁吸引管、鼻汁吸込ノズルを通じて鼻腔内の鼻汁を吸引すると、鼻汁が鼻汁吸引管側に吸引、除去されるに伴って鼻腔内に発生する負圧が増大して鼻汁の吸引除去が円滑に行われなくなるばかりでなく、増大する負圧によって吸込ノズル鼻腔内の粘膜を傷つけたり、鼓膜の圧力が変動して聴覚に異常をきたす虞れがある等の問題点があった。
【０００７】
本発明はこのような問題点に鑑みてなされたもので、その目的とするところは、吸気管から鼻汁収容容器、鼻汁吸引管、鼻汁吸込ノズルを通じて鼻腔内の鼻汁を吸引、除去する際に、鼻腔内に大きな負圧を発生させることなく、さらには違和感等を与えることなく、鼻腔内の鼻汁を円滑に吸引、除去することができる鼻汁吸引器を提供するにある。
【課題を解決するための手段】
【０００８】
上記目的を達成するために本発明の鼻汁吸引器は、請求項１に記載したように、先端に鼻汁吸込ノズルを取付けている可撓性を有する鼻汁吸引管と、先端にマウスピースを取付けている可撓性を有する吸気管とのそれぞれの基端部を鼻汁収容容器に連結、連通させ、上記鼻汁吸込ノズルの先部を鼻孔内に差し込んで上記マウスピースから吸気管を通じて吸気することにより、鼻汁収容容器内を通じて上記鼻汁吸引管に吸引力を発生させ、その吸引力により鼻腔内の鼻汁を上記吸込ノズルから鼻汁吸引管を通じて上記鼻汁収容容器内に吸引、収容するように構成した鼻汁吸引器において、上記鼻汁吸込ノズルの外周面に、この鼻汁吸込ノズルを鼻孔内に差し込んだ際に鼻腔内を外気に連通させる通気路を形成していることを特徴とする。
【０００９】
このように構成した鼻汁吸引器において、請求項２に係る発明は、上記鼻汁吸込ノズルの外周面にこの鼻汁吸込ノズルの長さ方向に長い条溝を周方向に間隔を存して複数条、設けることにより、これらの条溝によって上記通気路を形成していることを特徴とする。
【００１０】
請求項３に係る発明は、上記通気路の別な構造に関するもので、上記鼻汁吸込ノズルの外周面にこの鼻汁吸込ノズルの長さ方向に長い突条を周方向に所定間隔毎に設けて周方向に隣接する突条間の外周面によって通気路を形成していることを特徴とする。
【００１１】
請求項４に係る発明は、上記通気路のさらに別な構造に関するもので、上記鼻汁吸込ノズルの外周面に長さ方向及び周方向に小間隔毎に一定高さの突起を突設して隣接する突起間の隙間により通気路を形成していることを特徴とする。
【００１２】
また、請求項５に係る発明は、上記鼻汁吸込ノズルの形状を先端部が鼻孔よりも小径で中央部が鼻孔よりも大径の紡錘形状に形成していることを特徴とする。
【発明の効果】
【００１３】
請求項１に係る発明によれば、鼻汁収容容器に吸気管と鼻汁吸引管とを連結、連通し、鼻汁吸引管の先端に取付けている鼻汁吸込ノズルを鼻孔内に差し込んだ状態にして吸気管の先端のマウスピースを通じて吸気することにより、鼻汁収容容器内を介して上記鼻汁吸引管に吸引力を発生させて鼻腔内の鼻汁を上記鼻汁吸込ノズルから鼻汁吸引管を通じて上記鼻汁収容容器内に吸引、収容するように構成した鼻汁吸引器において、上記鼻汁吸込ノズルの外周面に、この鼻汁吸込ノズルを鼻孔内に差し込んだ際に鼻腔内を外気に連通させる通気路を形成しているので、鼻汁吸引管内の吸引力によって鼻腔内の鼻汁が鼻汁吸込ノズルを通じて該鼻汁吸引管側に吸引、除去されるに従って、鼻汁吸込ノズルの外周面に形成している通気路を通じて外気を鼻腔内に流入させることができる。
【００１４】
従って、吸引時に発生する鼻腔内の負圧を増大させることなく、鼻腔内の鼻汁を鼻汁吸込ノズルから吸引管を通じて鼻汁収容容器内に円滑に吸引、収容することができると共に、負圧によって鼻腔内の粘膜を傷つけたり、鼓膜等に違和感を与えたりすることなく鼻汁の吸引、除去を可能にすることができる。
【００１５】
請求項２に係る発明によれば、鼻汁吸込ノズルの外周面にこの鼻汁吸込ノズルの長さ方向に長い条溝を周方向に間隔を存して複数条、設けることによって上記通気路を形成しているので、鼻汁吸込ノズルを鼻孔内に差し込んでその外周面を鼻孔の孔壁面に密接させれば、これらの条溝によって鼻腔内を外気に確実に連通させた通気路を構成することができる。  
【００１６】
同様に、上記条溝に替えて、請求項３に記載したように、鼻汁吸込ノズルの外周面にこの鼻汁吸込ノズルの長さ方向に長い突条を周方向に所定間隔毎に設けて周方向に隣接する突条間の外周面によって通気路を形成しておいてもよく、さらに、請求項４に記載したように、鼻汁吸込ノズルの外周面に長さ方向及び周方向に小間隔毎に一定高さの突起を突設して隣接する突起間の隙間により通気路を形成しておいてもよい。いずれの場合も、上記同様に、鼻汁吸込ノズルを鼻孔内に差し込んでその突条の頂面や突起の頂面を鼻孔の孔壁面に密接させれば、鼻腔内を外気に確実に連通させた通気路を構成することができる。
【００１７】
請求項５に係る発明によれば、上記鼻汁吸込ノズルの形状を先端部が鼻孔よりも小径で中央部が鼻孔よりも大径の紡錘形状に形成しているので、鼻孔内へのこの鼻汁吸込ノズルの差し込みが痛みや違和感を与えることなく円滑且つ確実に行えるのは勿論、紡錘形状の鼻汁吸引ノズルの外周面に上記通気路を形成しているので、鼻孔内に鼻汁吸引ノズルを差し込んだ際に、通気路に鼻汁が入っても鼻孔を閉塞しているのは孔壁に密接しているノズルの大径部の通気路部分だけであるから、外気によってこの通気路部分内の鼻汁を簡単に排除することができて、鼻腔内と外気とを通気路により確実に連通させることができ、上述したように、吸引時に発生する鼻腔内の負圧を増大させることなく、鼻腔内の鼻汁を吸込ノズルから吸引管を通じて鼻汁収容容器内に円滑に吸引、収容することができる。
【図面の簡単な説明】
【００１８】
【図１】本発明鼻汁吸引器の斜視図。
【図２】その縦断側面図。
【図３】鼻汁吸込ノズルの斜視図。
【図４】その先端側から見た平面図。
【図５】使用状態の一例を示す側面図。
【図６】鼻汁吸込ノズルを鼻孔内に差し込んだ状態の簡略横断面図。
【図７】使用状態の別な例を示す簡略斜視図。
【図８】鼻汁吸込ノズルの別な構造を示す斜視図。
【図９】その先端側から見た平面図。
【図１０】この鼻汁吸込ノズルを鼻孔内に差し込んだ状態の簡略横断面図。
【図１１】鼻汁吸込ノズルのさらに別な構造を示す斜視図。
【発明を実施するための形態】
【００１９】
次に、本発明の具体的な実施例を図面について説明すると、図１、図２において、鼻汁吸引器Ａは、先端に鼻汁吸込ノズル２を取付けている可撓性を有する鼻汁吸引管１の基端部と、先端にマウスピース４を取付けている可撓性を有する吸気管３の基端部とを鼻汁収容容器５の上端部にそれぞれ連結、連通させてなり、上記マウスピース４を口にくわえて吸気することにより、上記吸気管３、鼻汁収容容器５を通じて上記鼻汁吸引管１に吸引力を発生させ、鼻孔Ｂに差し込んでいる上記鼻汁吸込ノズル２からこの鼻汁吸込ノズル２に連通している上記鼻汁吸引管１を通じて鼻腔Ｃ内の鼻汁を鼻汁収容容器５内に吸引、収容するように構成している。
【００２０】
上記鼻汁吸引管１と吸気管３は、シリコン樹脂等の軟質の合成樹脂製管であるが、鼻汁吸込ノズル２とマウスピース４は、軟質、硬質いずれの合成樹脂成形品であってもよい。また、鼻汁収容容器５は合成樹脂成形品からなり、その上端開口部はキャップ体６によって密閉されている。このキャップ体６は内周面に雌螺子部6aを設けていて、鼻汁収容容器５の開口上端部外周面に設けている雄螺子部5aに着脱自在に螺合させている。なお、鼻汁収容容器５は、ポリスチレン系樹脂、ポリカーボネート系樹脂等の透明ないしは半透明の合成樹脂から形成されていることが好ましい。
【００２１】
さらに、キャップ体６の天壁部下面外周部にシール片７を貼着してあり、このシール片７を鼻汁収容容器５の口縁上端面に密接させることによって容器内が気密状態となるように構成している。
【００２２】
また、上記キャップ体６の天壁部の２個所には上記鼻汁吸引管１の基端部と吸気管３の基端部とをそれぞれ着脱自在に且つ気密に接続させた接続筒部８、９を上方に向かって突設していると共に、これらの接続筒部８、９の下端部をキャップ体６の天壁部の下面から下方に突出させていて、接続筒部８、９内の貫通孔8a、9aを通じて鼻汁収容容器５の上端部内を上記鼻汁吸引管１と吸気管３内にそれぞれ連通させている。
【００２３】
なお、鼻汁吸引管１と吸気管３とをそれぞれ接続させるこれらの接続筒部８、９は、両方共、キャップ体６の天壁部に設けておくことなく、いずれか一方をキャップ体６側に、他方を鼻汁収容容器５側に設けておいてもよく、要するに、鼻汁吸引管１と吸気管３との基端部を鼻汁収容容器５の上端部内に連通させるように構成しておけばよい。
【００２４】
上記鼻汁吸引管１の先端に取付けている鼻汁吸込ノズル２はその先端から基端に亘って鼻汁吸込孔を貫設している。この鼻汁鼻汁吸込ノズル２は、その長さ方向の中央部を鼻孔Ｂの孔径よりも大径の球体部に形成していると共にこの大径球体部2aから先端に向かうに従って徐々に小径に形成して鼻孔Ｂの孔径よりも小径の差込部2bに形成してあり、さらに大径球体部2aの基端側に、上記鼻汁吸引管１の先端部に着脱自在に且つ気密状態となるように挿嵌した小径の接続筒部2cを突設して、全体の形状を紡錘形状に形成している。
【００２５】
さらに、この鼻汁吸込ノズル２の外周面に、図３、図４に示すように、この鼻汁吸込ノズル２の長さ方向に長い適宜深さを有する条溝10A を上記差込部2bの先端部から大径球体部2aの基端部間に亘って刻設してあり、この条溝10A を鼻汁吸込ノズル２の周方向に所定間隔毎に複数条設けて、これらの条溝10A により、鼻汁吸込ノズル２を鼻孔Ｂ内に差し込んだ際に鼻腔Ｃ内を外気に連通させる通気路10を形成している。
【００２６】
上記吸気管３の先端に取付けているマウスピース４は、口に銜えやすいように偏平筒状に形成してあり、その基端部に小径の接続筒部4aを一体に設けていて、この接続筒部4aを吸気管３の先端部に着脱自在に且つ気密状態となるように挿嵌することにより、吸気管３に連結、連通させている。
【００２７】
このように構成した鼻汁吸引器Ａの使用態様を述べると、図５に示すように、吸気管３の先端に取付けているマウスピース４を口に銜える一方、鼻汁吸込ノズル２をその大径球体部2aが鼻孔Ｂの孔壁に密接するまで鼻孔Ｂに差し込んだ状態となるように鼻孔Ｂに宛てがう。
【００２８】
この状態にしてマウスピース４を通じて吸気管３内の空気を吸い込むと、吸気管３内に吸引力が発生して、この吸引力は鼻汁収容容器５内を通じて鼻汁吸引管１に伝達され、鼻腔Ｃ内の鼻汁が鼻汁吸込ノズル２からの吸引力によってこの鼻汁吸込ノズル２から鼻汁吸引管１を通じて鼻汁収容容器５内に吸引、収容される。
【００２９】
この際、鼻孔Ｂが鼻汁吸込ノズル２によって外気との連通が遮断されていると、鼻汁吸引管１側からの吸引力によって鼻腔Ｃ内の鼻汁が吸引、排除されるに従って鼻腔Ｃ内が減圧されて大きな負圧が発生し、鼻汁の円滑な吸引、排除が困難になるばかりでなく、鼻腔Ｃ内の粘膜を傷つけたりする虞れあるが、鼻孔Ｂに密接している鼻汁吸込ノズル２の外周面には上記のように、該鼻汁吸込ノズル２の長さ方向に長い適宜深さの条溝10A からなる通気路10を設けているので、吸引力によって鼻腔Ｃ内の鼻汁が鼻汁吸込ノズル２を通じて鼻汁吸引管１に吸引、除去されるに従って外気が上記通気路10を通じて鼻腔Ｃ内に流入し、鼻腔Ｃ内に大きな負圧を発生させることなく鼻汁吸込ノズル２から鼻汁吸引管１を通じて鼻汁を鼻汁収容容器５内に円滑に吸引、収容することができる。
【００３０】
なお、図５においては、本人が鼻腔Ｃ内の鼻汁を吸引、除去している状態を示しているが、自分で鼻をかむことができない乳幼児などの場合には、図７に示すように、母親等の介護者が鼻汁吸引器Ａのマウスピース４を銜える一方、鼻汁吸込ノズル２の先端部を乳幼児の鼻孔Ｂに差し込んだ状態にして上記同様に、鼻腔Ｃ内に溜まっている鼻汁を吸引、除去すればよい。鼻汁収容容器５内に収容された鼻汁は、鼻汁吸引器Ａの使用後、キャップ体６を取り外して排出し、この鼻汁収容容器５を鼻汁吸引管１や鼻汁吸込ノズル２、吸気管３、マウスピース４と共に洗浄して次の鼻汁吸引、除去に使用する。
【００３１】
上記実施例において、鼻汁吸込ノズル２の外周面に設けている通気路10を鼻汁吸込ノズル２の長さ方向に長い条溝10A によって形成しているが、このような条溝10A によることなく、図８〜図10に示すように、鼻汁吸込ノズル２の外周面に、この鼻汁吸込ノズル２の長さ方向に長い突条10B を鼻汁吸込ノズル２の差込部2bの先端部から大径球体部2aの基端部間に亘って突設すると共にこの突条10B を鼻汁吸込ノズル２の周方向に所定間隔毎に複数条設けて、隣接する突条10B 、10B 間の鼻汁吸込ノズル２の外周面部により、該外周面部を溝底とし突条10B 、10B を両側壁部とする溝からなる通気路10を形成してもよい。
【００３２】
さらに、鼻汁吸込ノズル２の長さ方向に長い複数条の上記条溝10A や突条10B によって通気路10を形成するのに代えて、図11に示すように、鼻汁吸込ノズル２の外周面に、一定高さの突起10C を長さ方向及び周方向に小間隔毎に突設して、この鼻汁吸込ノズル２を鼻孔Ｂに差し込んだ際に、隣接する突起10C 、10C 間の隙間により鼻腔Ｃを外気に連通させる通気路10を形成するように構成しておいてもよい。
【符号の説明】
【００３３】
Ａ  鼻汁吸引器
Ｂ  鼻孔
Ｃ  鼻腔
１  鼻汁吸引管
２  鼻汁吸込ノズル
３  吸気管
４  マウスピース
５  鼻汁収容容器
６  キャップ体
10  通気路
【図１】
2014018499.tif 000003
【図２】
2014018499.tif 000004
【図３】
2014018499.tif 000005
【図４】
2014018499.tif 000006
【図５】
2014018499.tif 000007
【図６】
2014018499.tif 000008
【図７】
2014018499.tif 000009
【図８】
2014018499.tif 000010
【図９】
2014018499.tif 000011
【図１０】
2014018499.tif 000012
【図１１】
2014018499.tif 000013